(57)【要約】【課題】本発明は、蓄光顔料インキの残光性能を実用レベルで利用可能とすると共に消費電力を抑えて軽量化を図り、経時でのメンテナンスの容易性を図ることができる残光性多目的デザインボードを提供する。【解決手段】残光性多目的デザインボード１０の底板部１２には導光壁１８が等間隔で複数本突設固定されて、複数の蓄光顔料発光体収容部２０を形成している。蓄光顔料発光体収容部２０には特殊紫外線光ＬＥＤランプ２２が設けられている。この特殊紫外線光ＬＥＤランプ２２は１個づつ順番に点灯されるリレー点灯方式になっている。蓄光顔料発光体収容部２０には蓄光顔料インキ２８が塗布された蓄光顔料発光体２４が半円筒状に配設され、特殊紫外線光ＬＥＤランプ２２を覆っている。【選択図】　　図１
2004117891.tif 000002
【特許請求の範囲】
【請求項１】
紫外線光ＬＥＤランプを用いて蓄光顔料インキの持つ残光性能を著しく高めたことを特徴とする残光性多目的デザインボード。
【請求項２】
多様な供給電源を有することを特徴とする請求項１記載の残光性多目的デザインボード。
【請求項３】
メンテナンスが容易で軽量化を図ったことを特徴とする請求項１、請求項２記載の残光性多目的デザインボード。
【発明の詳細な説明】
【０００１】
【発明の属する技術分野】
本発明は、デザインボードに関し、詳しくは紫外線光ＬＥＤを用いて、蓄光顔料インキの持つ、残光性能を継続的に著しく向上・安定させ、高輝度且つ、省電力性に優れた多目的に利用できる残光性多目的デザインボードに関する。
【０００２】
【従来の技術】
「サインパネル」、「ネオンサイン」、「サインボード」類の場合においては、蓄光顔料インキの利用は実質的な輝度不足（薄暗い）や自身の輝度を失う減衰作用（一定の励起状態から経時により徐々に輝度が減衰し、基底状態に戻る）等が理由となり、利用が困難とされている。
このため、前記サインボードにおいては電球や蛍光管を用いたタイプやＬＥＤ（発光ダイオード），ＥＬ（エレクトロルミネッセンス），ＢＬ（ブラックライト）等を用いたタイプものが一般的に提案されている。
前記電球や蛍光管を用いたタイプのサインボードは、現在最も普及しており、光源としての大光量を携えている。
しかし、一般的に利用する為には交流電源（配線・コンセント・アダプタ等）を確保しなければならず、消費電力は多大であり、高い熱量を伴い易く、ランプの短寿命や経時でのメンテナンス等に一案が求められている。
また、ＬＥＤ，ＥＬ，ＢＬ等を用いたタイプのサインボードにおいては、前記電球や蛍光管を用いたタイプのサインボードを改良することにより、少口数ランプ又は小さい面積での利用時の消費電力・寿命・熱量等が抑制されている。
しかし、使用するパネル等の平面積の増加は、比例してランプ口数、使用電圧の増加を伴い、電球や蛍光管を用いたタイプのサインボードと比べても消費電力等の差異はあまりない。
また、ＬＥＤ，ＥＬ，ＢＬ等を用いたタイプのサインボードの中には複雑な電子制御回路等を必要とするものもあり、経済性や経時でのメンテナンスに一案が求められている。
【０００３】
【発明が解決しようとする課題】
本発明は、前述の如き事実に鑑みなされたものであり、従来利用が困難であった蓄光顔料インキの残光性能を実用レベルで利用可能とすると共に消費電力を抑えて軽量化を図り、経時でのメンテナンスの容易性を図ることができる残光性多目的デザインボードを提供するものである。
【０００４】
【課題を解決する手段】
請求項１の発明は、紫外線光ＬＥＤランプを用いて蓄光顔料インキの持つ残光性能を著しく高めたことを特徴としている。
請求項２の発明は、多様な供給電源を有することを特徴としている。
請求項３の発明は、メンテナンスが容易で軽量化を図ったことを特徴としている。
【０００５】
【発明の実施の形態】
図１〜図６には本発明の残光性多目的デザインボードの一実施例が示されている。
図６に示されるように、残光性多目的デザインボード１０は正面視矩形状に形成されている。
図１に示されるように、前記残光性多目的デザインボード１０の奥側には板状で表面が白色の底板部１２が設けられ、この底板部１２の外縁部には矩形枠状で白色のパネルフレーム１４が設けられている。
また、図６に示されるように、残光性多目的デザインボード１０の手前側には広告表示部としての正面透明パネル板１６が設けられている。この正面透明パネル板１６には図示しないが残光性多目的デザインボード１０が広告、宣伝する広告文字や図形等が印刷等によって記載されるようになっている。
図１に示されるように、前記底板部１２には上下方向に向かって直線状の導光壁１８が等間隔を配して複数本突設状態で固定されている。図５に示されるように、この導光壁１８は白色で底面形状は５角形状に形成されると共に垂直壁面部１８Ａと傾斜面部１８Ｂが形成されている。
図１に示されるように、前記底板部１２に導光壁１８を突設固定することにより、前記パネルフレーム１４内には複数の蓄光顔料発光体収容部２０が仕切られて形成されている。なお、前記底板部１２、パネルフレーム１４、導光壁１８は白色であるため後述する特殊紫外線光ＬＥＤランプの光反射作用が効率良く得られるようになっている。
これら蓄光顔料発光体収容部２０の下部には光源としての特殊紫外線光ＬＥＤランプ２２が設けられている。この実施例で使用される前記特殊紫外線光ＬＥＤランプ２２はアメリカ合衆国製の特殊紫外線光ＬＥＤランプで、放射される紫外線光の波長が平均３９０ｎｍと安定した光源である。
また、前記特殊紫外線光ＬＥＤランプ２２は光源を余すことなく利用できるように特殊紫外線光ＬＥＤランプ２２のランプ本体部２２Ａの全体がパネルフレーム１４内に突出位置するように配置されている。
前記残光性多目的デザインボード１０には複雑な制御が不要な簡易リレー回路が設けられ、前記特殊紫外線光ＬＥＤランプ２２を１個づつ順番に点灯させると共に特殊紫外線光ＬＥＤランプ２２が一定時間点灯すると特殊紫外線光ＬＥＤランプ２２が順番に消灯するリレー点灯方式にしている。従って、全ての特殊紫外線光ＬＥＤランプ２２に同時に電力を供給する必要がないので、省電力化、省エネルギー化を図ることができる。
なお、この実施例では前記特殊紫外線光ＬＥＤランプ２２をリレー点灯させる電源として太陽電池（図示せず）が用いられている。出願人が行った試験においては太陽電池は日中の天候に特段左右されずに２週間のテスト期間中、特殊紫外線光ＬＥＤランプ２２をリレー点灯方式で点灯させつづけ、特殊紫外線光ＬＥＤランプ２２が点灯しない事態は発生しなかった。
図２及び図４に示されるように、前記蓄光顔料発光体収容部２０には半円筒形状に曲げられた蓄光顔料発光体２４が配設され、前記特殊紫外線光ＬＥＤランプ２２を覆うようになっている。図３に示されるように、この蓄光顔料発光体２４は２００μ厚の透明ポリエチレンテレフタレートフィルム２６の一面２６Ａにシルクスクリーン印刷で蓄光顔料インキ２８を均一に塗布することにより形成されている。なお、塗布される蓄光顔料インキ２８の厚み寸法は５００〜１０００μとなっている。
また、前記蓄光顔料発光体２４は下端部２４Ａが上端部２４Ｂよりも幅広の台形状となっている。従って、図４に示されるように、蓄光顔料発光体２４を半円筒状に曲げて蓄光顔料発光体収容部２０に配設すると下端部２４Ａは高く広口となり上端部２４Ｂは低く狭口となり、前記特殊紫外線光ＬＥＤランプ２２より放射された特殊紫外線光が蓄光顔料発光体２４の下端部２４Ａで拡散されて余すことなく蓄光顔料発光体２４に塗布されている蓄光顔料インキ２８に吸収されるようになっている。
なお、蓄光顔料インキ２８を外側にした状態で蓄光顔料発光体２４を半円筒状に曲げることにより、特殊紫外線光ＬＥＤランプ２２から放射される特殊紫外線光の反射、拡散がより効果的に行われることになる。
また、この実施例では前記蓄光顔料インキ２８として東京資料印書（株）が開発した蓄光顔料インキである商品名「ＢＲＩＧＨＴＥＸ」（特許出願中）を基にして改良した蓄光顔料インキを使用している。前記「ＢＲＩＧＨＴＥＸ」は高輝度タイプの蓄光顔料インキであり、前記東京資料印書（株）の商品カタログデータによると短時間照射発光、高輝度、長時間残光（残光時間は徐々に減衰しながらも２０〜３０時間程度）、半永久反復発光、高耐光性という性質を有している。
前記蓄光顔料インキ２８は発光体の励起波長が前記特殊紫外線光ＬＥＤランプ２２の紫外線光の波長である３９０ｎｍに近づくように前記「ＢＲＩＧＨＴＥＸ」を改良してなるものである。
図４及び図５に示されるように、蓄光顔料発光体収容部２０に配設した蓄光顔料発光体２４の両端部２４Ｃ，２４Ｄは共に前記導光壁１８の垂直壁面部１８Ａに密着当接するので、蓄光顔料発光体２４は半円筒形状を維持することができると共に蓄光顔料発光体収容部２０に確実に配設されるようになっている。
【０００６】
次に、残光性多目的デザインボード１０の作用について説明する。
夜等においては前記残光性多目的デザインボード１０の特殊紫外線光ＬＥＤランプ２２をリレー点灯方式で順番に１個づつ点灯、消灯させることにより、特殊紫外線光ＬＥＤランプ２２が点灯すると特殊紫外線光ＬＥＤランプ２２から放射された特殊紫外線光を蓄光顔料発光体２４に塗布された蓄光顔料インキ２８が吸収して蓄光顔料インキ２２の発光体の励起を促し蓄光顔料インキ２８が発光する。しかも、蓄光顔料発光体２４の光源側である下端部２４Ａが広口とされ、上端部２４Ｂが狭口とされているので、特殊紫外線光ＬＥＤランプ２２から放射された特殊紫外線光が半円筒状となった蓄光顔料発光体２４の下端部２４Ａ側で拡散され、余すことなく蓄光顔料発光体２４全域にわたって吸収される。
これにより、暗所でも残光性多目的デザインボード１０の正面透明パネル板１６に記載されている広告文字や図形等を明確に視認することができる。
さらに、前記蓄光顔料インキ２８の基である「ＢＲＩＧＨＴＥＸ」は高輝度タイプの蓄光顔料インキであり、高輝度で長時間残光という性質を有しているので、前記特殊紫外線光ＬＥＤランプ２２が消灯しても蓄光顔料発光体２４に塗布された蓄光顔料インキ２８による残光発光によって暗所で正面透明パネル板１６に記載されている広告文字や図形等を長時間視認することができる。また、この場合の輝度感は、従来のバックライト効果を利用した蓄光顔料インキとは比べものにならないほどの明るさの「ライティング」形態である。
この結果、従来困難であった蓄光顔料インキを主利用した高輝度で残光時間の長い残光性多目的デザインボード１０を提供することが可能となる。
また、残光性多目的デザインボード１０は複数の特殊紫外線光ＬＥＤランプ２２を簡易なリレー回路を設けてリレー点灯方式で順番に１個づつ点灯消滅させるようにしたので、複数の特殊紫外線光ＬＥＤランプ２２に電力を同時に供給する必要がなく、省電力、省エネルギーを図ることができる。
さらに、電圧が一定になり電源供給を多様化でき、複雑な回路や装置等が不要となるので残光性多目的デザインボード１０の軽量化を図ることができると共に残光性多目的デザインボード１０のメンテナンスを容易に行うことができる。
なお、特殊紫外線光ＬＥＤランプ２２を全く点灯させなくても、例えば昼間に太陽光が残光性多目的デザインボード１０に当たることにより太陽光の一定の紫外線光を蓄光顔料発光体２４の蓄光顔料インキ２８に吸収させるようにすれば、前記特殊紫外線光ＬＥＤランプ２２を点灯させた場合と同様前記蓄光顔料インキ２８による残光発光によって暗所で残光性多目的デザインボード１０を長時間視認することが可能であり、必然的に初期励起が不要となる。
【０００７】
なお、実施例では正面透明パネル板１６に広告する広告文字や図形等を印刷等によって記載するようにしたがこれに限定されるものではなく、フィルムセル・ネガ、印刷物、蛍光ペン等を利用してもよいことは勿論である。
また、実施例では前記特殊紫外線光ＬＥＤ２２の電源を太陽電池にしたが、これに限定されず乾電池等を電源としてもよいことは勿論であり、電源として太陽電池や電池等を利用することにより残光性多目的デザインボード１０の使用場所が限定されることなく用途的にも多様化、拡大化することができる。
なお、実施例では放射される紫外線光の波長が平均３９０ｎｍという特殊紫外線光ＬＥＤランプ２２を用いると共に前記蓄光顔料インキ２８の波長もそれに対応させるべく平均３９０ｎｍに近い励起波長に改良した蓄光顔料インキ２８を使用したが、特殊紫外線光ＬＥＤランプ２２及び蓄光顔料インキ２８の紫外線光の波長は３９０ｎｍに限定されるものでないことは勿論である。
【０００８】
【発明の効果】
本発明の残光性多目的デザインボードは、蓄光顔料インキを主利用した高輝度で残光時間の長い残光性多目的デザインボードを提供することができるという優れた効果を有する。
また、本発明の残光性多目的デザインボードは、複数の特殊紫外線光ＬＥＤランプをリレー点灯方式で順番に１個づつ点灯消灯させるようにしたので、複数の特殊紫外線光ＬＥＤランプに電力を同時に供給する必要がないので省電力、省エネルギーを図ることができるという優れた効果を有する。
また、本発明の残光性多目的デザインボードは、電圧が一定になり電源供給を多様化でき、複雑な回路や装置等が不要となるので残光性多目的デザインボードの軽量化を図ることができると共にメンテナンスを容易にすることができるという優れた効果を有する。
【図面の簡単な説明】
【図１】実施例の残光性多目的デザインボードから正面透明パネル板及び蓄光顔料発光体を取り除いた状態の正面図である。
【図２】実施例の残光性多目的デザインボードから正面透明パネル板を取り除いた状態の正面図である。
【図３】実施例の残光性多目的デザインボードに使用される蓄光顔料発光体の展開図である。
【図４】実施例の残光性多目的デザインボードに取り付けられた蓄光顔料発光体の斜視図である。
【図５】実施例の残光性多目的デザインボードに取り付けられた蓄光顔料発光体の底面図である。
【図６】実施例の残光性多目的デザインボードの正面図である。
【符号の説明】
１０　　残光性多目的デザインボード
１２　　底板部
１４　　パネルフレーム
１６　　正面透明パネル板
１８　　導光壁
２０　　蓄光顔料発光体収容部
２２　　特殊紫外線光ＬＥＤランプ
２４　　蓄光顔料発光体
２８　　蓄光顔料インキ
【図１】
2004117891.tif 000003
【図２】
2004117891.tif 000004
【図３】
2004117891.tif 000005
【図４】
2004117891.tif 000006
【図５】
2004117891.tif 000007
【図６】
2004117891.tif 000008